Podtech/llm-jp-corpus-v4-ja_patent huggingface dataset:
(57)【要約】      （修正有） 【課題】バラバラ状態のネイルアート用保治具を必要に応じて連結させたり、個々にも使用出来るなど使い勝手が良く、汚れなどの美的管理が容易で耐久性のある保治具を提供する。【解決手段】本体１の左右側面部に、凹凸部を設け、スライド装着させ連結できる事を特徴とする。この保治具を使用すると、今までは非常に使い勝手が悪かった、アート作業がスムーズになり、かつ保管等も大変便利になる。【選択図】図１
0003144960.tif 000002
【実用新案登録請求の範囲】
【請求項１】
ネイルアートをする際に用いる樹脂からなる保治具の左右側面にいんろう部を設けて、連結後の自然な力による分裂を回避し又  脱着をたやすくすることを特徴とするネイルアート用連結・脱着自在保治具。
【考案の詳細な説明】
【技術分野】
【０００１】
本考案は、ネイルアート用チップに絵を描く時に便利性を図った樹脂からなるネイルアート用連結・脱着自在保治具
【背景技術】
【０００２】
ネイルチップにアートを描こうとする時、保治具を横に並べてバランス良く  アートしようとする際に、アートに使用するネイルチップを保治具に接着させ、
保治具同士を個々に横に並べて絵を描くか又は５コあるいは１０コの保治具が、一枚の板にフック状のチップ装着部分のみが固定される方法がとられていた。
【０００３】
単体治具をつなぎ合わせて使用するはめ込み式のものもあるが、材質がスポンジ状のものである為、はめ込んだ箇所が何回もの脱着によりその部分が劣化しやすくすぐ破損して壊れ非常に扱いにくい。
【０００４】
単独で使用するものは木製で出来ている物が多い。連結できるものはスポンジ状の材質で出来ており、両者ともアートで使用する絵の具が付着し汚れがしみ込むなどして非常に衛生面でも悪く、又、見た目も絵の具やその他の薬品等で汚れてシミ等が出来非常に汚い。
【考案の開示】
【考案が解決しようとする課題】
【０００５】
以上に述べた従来の保治具の問題点は、片手５本又は両手１０本分のネイルアートをバランス  をみながら作る際に、バラバラのものは位置を少しずらすにも、１つずつ並べ直すなど手間がかかり、又、倒れやすくチップの破損にもつながる。５コ又は１０コの保治具が固定されているものに  ついては、手に持ちアートをする際には、重くて非常に扱いにくく、隣接するネイルチップに絵の具を噴き付ける時は、手に絵の具がついてしまったり、筆で描く時は、隣との間隔が不適切で扱いにくく、絵が描きにくいなど非常に困難を極めていた。又、絵の具が誤って隣のチップに付着すると書き損じたりしてアートを手直ししたり又時には最初から作り直すなどの不便さが多分にあるのが現状である。  
【０００６】
本考案はこのような従来の構成が有していた問題を解決しようとするものであり、ネイルアートをチップに描く際に自在に保治具を上下にスライドさせて簡単に位置をずらしたり本体同士を左右に連結させて絵のバランスをとったりすることが容易にし、スムーズにアートが描けることを目的とするものである。
【課題を解決するための手段】
【０００７】
そして本考案は上記の目的を達成するために保治具の両側面に、いんろう部を設け、そのいんろう部をスライドさせて容易にはめ込むことができる。又、    
用途に応じて自在に連結したり、個々にバラしたりすることも出来る様にしたものである。又、付着した汚れについては、水などで簡単に洗い流すことが出来、  非常に衛生的である。又、アート以外にも、ネイルの施術で使用する薬品（例えばアクリル・リキッド等）が、付着しても保治具本体が溶解することもない。
【考案の効果】
【０００８】
本体の左右両側面部に、それぞれいんろう部を設け、スライド装着させる事により、隣接する本体同士をそれぞれ固定できる。
【０００９】
本考案の本体１の底部を机に置き、２、３のいんろう部をスライド挿入し、容易に連結できるようにした。これにより、ネイルチップへのアート時に、スライド方向以外からの脱落を不可能にすることが出来る。アートされるネイルチップは、図１の４、ネイルチップ接着部に両面テープ又は、  粘着剤を付けて固定する。本考案本体は、いんろう部の連結により、連結数に  限りは無い。
【考案を実施するための最良の形態】
【００１０】
以下本考案の実施の形態として図１〜図３に基づいて説明する。図１、本体左右側面にいんろう部を設けた本体の全体図である。図２、いんろう部の図である。  このいんろう部は、ただ単にまっすぐな形状の組み合わせではなく凸部には頭部分を  少し大きくし、斜めな形状がスライドして挿入できるようにした。これにより  左右からの引っ張る力により簡単に外れない様に考案したのが特徴である。図３、本体同士を２、３のいんろう部を連結させた図である。  
【図面の簡単な説明】
【００１１】
【図１】本考案に係るネイルアート用脱着可能保治具の全体図である。
【図２】本考案に係るネイルアート用脱着可能保治具の脱着部分のいんろう部分である。左右からのひっぱりでも簡単に外れない構造図である。
【図３】本考案に係るネイルアート用脱着可能保治具連結時斜視図である。
【符号の説明】
【００１２】
１  本体
２  凹部
３  凸部
４  ネイルチップ接着部
【図１】
0003144960.tif 000003
【図２】
0003144960.tif 000004
【図３】
0003144960.tif 000005
(57)【要約】      （修正有）【課題】ぬか床を混ぜかえす手間を省くとともに、使い勝手のよいぬか漬け用両口タッパを提供する。【解決手段】略四角形状で平板の一対の蓋体Ａ，Ｃと、中空の略立方体状の本体Ｂと、で構成され、本体Ｂの開口端に蓋体Ａ，Ｃをそれぞれ着脱可能にしたぬか漬け用両口タッパ。上下を反転させることでぬか床を混ぜかえす手間を省くとともに、片方の蓋を取り外すことで具材を容易に取り出すことができる。【選択図】図１
0003144952.tif 000002
【実用新案登録請求の範囲】
【請求項１】
略四角形状で平板の一対の蓋体と、中空の略四角柱状の本体と、で構成され、
前記本体の開口端に前記蓋体をそれぞれ着脱可能にしたぬか漬け用両口タッパ。
【考案の詳細な説明】
【技術分野】
【０００１】
本考案は、簡易な方法でぬか漬けを作ることができるぬか漬け用両口タッパに関する。
【背景技術】
【０００２】
ぬか漬けは、乳酸菌以外の微生物の増殖を防ぐために、よくかき回してぬか床の上下を混ぜかえする必要がある。具体的には、図２に示すように、好気性の産膜酵母、嫌気性の乳酸菌、嫌気性の酪酸菌の層からなる。
【０００３】
従来、かかるぬか床の上下を混ぜかえする作業を容易にしたものとして、上蓋と底箱とから構成されるぬかずけ箱が存在する（実登３０４７２８９号公報）。このぬかずけ箱は、上蓋の深さと底箱の深さを同じくして、箱ごと反転を繰り返して、ぬか床を混ぜかえす手間を省いたものである。
【考案の開示】
【考案が解決しようとする課題】
【０００４】
しかしながら、上蓋が上で底箱が下に位置する場合に上蓋を取り外すと、上蓋と底箱のすきまの分だけぬか床が崩れたり、空気が混入したりして、乳酸菌の層へのダメージが大きいという問題がある。
【０００５】
一方、箱を反転して、上蓋が下で底箱が上に位置する場合は、上蓋と底箱の密閉部分近辺にぬか床からの外圧がかかり、底箱を取り外しにくいという問題がある。
【０００６】
本考案は、このような点に鑑みてなされたものであり、その目的は、ぬか床を混ぜかえす手間を省くとともに、使い勝手のよいぬか漬け用両口タッパを提供することにある。
【課題を解決するための手段】
【０００７】
以上のような課題を解決するために、本考案は、以下のものを提供する。
【０００８】
（１）  略四角形状で平板の一対の蓋体と、中空の略立方体状の本体と、で構成され、前記本体の開口端に前記蓋体をそれぞれ着脱可能にしたぬか漬け用両口タッパ。
【考案の効果】
【０００９】
本考案は、本体の上開口端及び下開口端のそれぞれに蓋体を着脱可能に構成し、上下を反転させることでぬか床を混ぜかえす手間を省くとともに、片方（上側）の蓋を取り外すことで具材を容易に取り出すことができる。
【考案を実施するための最良の形態】
【００１０】
以下、本考案を実施するための最良の形態について、図面に基づいて説明する。
【００１１】
図１は、本考案の実施の形態に係るぬか漬け用両口タッパを示す図であり、上蓋Ａと本体Ｂと下蓋Ｃとから構成される。
【００１２】
本体Ｂと下蓋Ｃを合体した状態でぬか床を入れて具材を投入し、上蓋Ａを本体Ｂに装着させ具材を熟成する。上蓋Ａを開けて具材を取り出す。
【００１３】
上蓋Ａを開け、熟成した具材を取り出した後、新しい具材を投入し、上蓋Ａを閉めて容器ごと反転させる。上側になった下蓋Ｃを開き、ぬか床全体を上蓋Ａ側へ落とし、下蓋Ｃを閉める。
【００１４】
具材を出し入れするたびにこの反転を繰り返すことで、ぬか床を混ぜかえす手間を省く。なお、ぬか床や具材を投入した容器は、冷蔵庫等の冷暗所で保管する。
【産業上の利用可能性】
【００１５】
本考案に係るぬか漬け用両口タッパは、ぬか床を混ぜかえす手間を省くとともに、使い勝手のよいものとして有用である。
【図面の簡単な説明】
【００１６】
【図１】本考案の実施の形態に係るぬか漬け用両口タッパを示す図。
【図２】ぬか床の層を説明するための図。
【図３】従来のぬかずけ箱の例。
【符号の説明】
【００１７】
Ａ  上蓋
Ｂ  本体
Ｃ  下蓋
【図１】
0003144952.tif 000003
【図２】
0003144952.tif 000004
【図３】
0003144952.tif 000005
【手続補正書】
【提出日】平成20年7月16日(2008.7.16)
【手続補正１】
【補正対象書類名】図面
【補正対象項目名】図１
【補正方法】変更
【補正の内容】
【図１】
0003144952.tif 000006
【手続補正２】
【補正対象書類名】図面
【補正対象項目名】図２
【補正方法】変更
【補正の内容】
【図２】
0003144952.tif 000007
(57)【要約】      （修正有）【課題】従来のクラスプに追加して、アクセサリーの着脱を容易にするクラスプを提供する。【解決手段】アクセサリー用クラスプは、部材１が従来の装飾部材としてのネックレス、ペンダント及びブレスレット、部材２が既に保有しているクラスプ、部材３が着脱の容易なクラスプ、部材４が部材２と部材３を接合する部材である。部材３の着脱が容易なクラスプは、部材４により、部材２に容易に接合可能であり、接合した後に部材３を使用することにより、アクセサリーの着脱を簡便に行うことが可能である。【選択図】図１
0003144995.tif 000002
【実用新案登録請求の範囲】
【請求項１】
装飾用のアクセサリーである、ネックレス、ペンダント及びブレスレットなどにおいて、既に保有しているクラスプに、着脱が容易なクラスプを追加することにより、アクセサリーの容易な着脱を可能とすることを特徴とするアクセサリー用クラスプ。
【考案の詳細な説明】
【技術分野】
【０００１】本考案は、装飾用のアクセサリーである、ネックレス、ペンダント及びブレスレットなどにおいて、既に保有しているクラスプに、着脱が容易なクラスプを追加することにより、アクセサリーの容易な着脱を可能とすることを特徴とするアクセサリー用クラスプに関するものである。
【背景技術】
【０００２】従来、ネックレス、ペンダント及びブレスレットなどを着脱する際に必要となるクラスプは、その形状、大きさなどの制限から着脱が容易でなく、使用者にとって不便なものが多い。
【考案の開示】
【考案が解決しようとする課題】
【０００３】本考案は、従来のクラスプに追加したクラスプにより、アクセサリーの着脱を容易にするものである。
【課題を解決するための手段】
【０００４】上記課題を解決するため、本考案の請求項１に記載のアクセサリー用クラスプは、既に保有し使用しているクラスプに、着脱が容易なクラスプを簡単に追加することによりアクセサリーの簡便な着脱機能を提供した。
【考案の効果】
【０００５】本考案により、アクセサリーの着脱が容易となり使用者の利便性を向上させることが可能となる。
【実施例】
【０００６】本考案のアクセサリー用クラスプを、図面に示す具体的な実施例にもとづいて説明する。【０００７】図１および図２に示す本考案によるアクセサリー用クラスプは、部材（１）が従来の装飾部材としてのネックレス、ペンダント及びブレスレット、部材（２）が既に保有しているクラスプ、部材（３）が着脱の容易なクラスプ、部材（４）が部材（２）と部材（３）を接合する部材である。
部材（３）の着脱が容易なクラスプは、部材（４）により、部材（２）に容易に接合可能であり、接合した後に部材（３）を使用することにより、アクセサリーの着脱を簡便に行うことが可能である。
【図面の簡単な説明】
【０００８】
【図１】図１は、本考案によるアクセサリー用クラスプの内、ネックレスにおける接合した状態での正面図である。
【符号の説明】
【０００９】１  ネックレス本体の部材
２  既に保有しているクラスプ
３  着脱が容易なクラスプ
４  部材（２）と部材（３）を接合するための部材
【図１】
0003144995.tif 000003
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
装飾用のアクセサリーである、ネックレス、ペンダント及びブレスレットなどにおいて、既に保有しているクラスプに、着脱が容易なクラスプを追加することにより、アクセサリーの容易な着脱を可能とすることを特徴とするアクセサリー用クラスプであり、着脱が容易なクラスプには既に保有しているクラスプと接合するためのクラスプを予め取り付けてあり、着脱が容易なクラスプを取り付けた後はその着脱が容易なクラスプを使用することによりアクセサリーの着脱が容易となる。
【手続補正書】
【提出日】平成20年2月14日(2008.2.14)
【手続補正１】
【補正対象書類名】実用新案登録請求の範囲
【補正対象項目名】全文
【補正方法】変更
【補正の内容】
【実用新案登録請求の範囲】
【請求項１】
装飾用のアクセサリーである、ネックレス、ペンダント及びブレスレットなどにおいて、既に保有している、丸型でパイプ状の中に芯棒に連結したスプリングを内蔵し、開閉の出来る構造を有する引輪クラスプ、あるいはなす型で開閉の出来る構造を有するなすかんクラスプなどに、本考案による円筒形でその内部に芯棒と連結したスプリングを内蔵し、芯棒を押し下げることにより着脱の出来る構造を有する、クラスプを追加することにより、アクセサリーの容易な着脱を可能とすることを特徴とする新しいアクセサリー用クラスプであり、本考案による着脱が容易なクラスプには既に保有しているクラスプと接合するための引輪クラスプを予め取り付けてあり、本考案による着脱が容易なクラスプを引輪クラスプに取り付けた後は、本考案による着脱が容易なクラスプを使用することによりアクセサリーの着脱が容易となる。
【手続補正書】
【提出日】平成20年4月21日(2008.4.21)
【手続補正１】
【補正対象書類名】実用新案登録請求の範囲
【補正対象項目名】全文
【補正方法】変更
【補正の内容】
【実用新案登録請求の範囲】
【請求項１】
装飾用のアクセサリーである、ネックレス、ペンダント及びブレスレットなどにおいて、既に保有している、丸型でパイプ状の中に芯棒に連結したスプリングを内蔵し、開閉の出来る構造を有する引輪クラスプ、あるいはなす型で開閉の出来る構造を有するなすかんクラスプなどに接合し、着脱を容易にするための、本考案による円筒形でその内部に芯棒と連結したスプリングを内蔵しているクラスプと、既に保有しているクラスプと接合するための引輪クラスプからなるアクセサリー用クラスプ。
(57)【要約】      （修正有）【課題】自転車の前輪中心部に発電機が設置された車輪装置を利用し、安価で廃棄自転車のリサイクルにも資する風力発電システムを提供する。【解決手段】自転車前輪中心部発電機付き車輪装置１と自転車前輪部車輪なし装置台付２を交差させて溶接し、両者を一体化する。該自転車前輪中心部発電機付き車輪装置１を活用し、スポーク部分に約４５度の角度で風受羽を取り付け風車４とする。さらに、風車回転面後方に風向板５を取り付け、多方向に吹く風を風車が受けられるようにする。【選択図】図２
0003144998.tif 000002
【実用新案登録請求の範囲】
【請求項１】
自転車前輪中心部発電機付車輪装置活用風車羽根風向板を取り付けて風力発電機にした。
【考案の詳細な説明】
【技術分野】
【０００１】  本考案は廃棄自転車リサイクル前輪中心部発電機付車輪装置活用車輪に風受羽根を装置して風車として風向板を取りつけて風力発電とする。
【背景技術】
【０００２】  自然エネルギー利用自然を汚さない安く造れる電力エネルギー。
【考案の開示】
【考案が解決しようとする課題】
【０００３】  石油石炭を使わない地球温暖化防止廃棄自転車利用、屋根、庭、農場での作物を守る電柵電源風車の振動はもくらのおどしに外灯。
【課題を解決するための手段】
【０００４】  本考案は廃棄自転に付いている高性能発電機利用いつでもどこでも発生する風を電気エネルギーとする風車は多羽根とするので風速２ｍ位より回転高性能風力発電機てある。
【考案の効果】
【０００５】  屋上に３機設置して防犯灯の電源にしています地球にやさしいエネルギーを実感しています。新品も良いが廃物利用で十分です。
【考案の実施するための最良の形態】
【０００６】  風車は多羽根にして風受け効率を高めて高性能風車、風速３ｍトルで回転強風時の自動回転減速装置付とした。
【実施例】
【０００７】  以下、添付図面に従って一実施例を説明する。１は自転車前輪中央部発電機付車輪車輪受装置２は自転車前輪部車輪なし装置台付を交又して溶接１と２を一体化して図２が図３の如く空を向く様にしました。強風時の自動回転調節装置となります。図２のように２と３を溶接して１と２と３を一体化転車輪に４風車羽根を取り付けて風車にした。
１  ８間に６を張り９を取り付けて風向回転異状防止装置となる図２の如く１に５を取り付けて１１  １２  １３と配線【０００８】  自転車１台分の前輪部装置使用で十分だが２台分の装置を使用し十字交又立体化構造で図上変化図３を
【図面の簡単な説明】
【０００９】
【図１】本考案の自転車輪風力発電実施例を示す正面図。
【図２】本考案発電機の側面図である。
【図３】本考案風力発電機の強風時の自動回転減速装置の作動時の図である。
【符号の説明】
【００１０】１．自転車前輪中央部発電機付転車輪転車受装置
２．転車輪なし台付装置
３  ポール
４  風車羽根
５  風向板
６  ひも
７  転車輪受装置帰りストッパーとひも止装置
８  ひも止
９  風向回転異状止
１０  発電機
１１  配線
１２  ＡＣアダプター
１３  バッテリー
【図１】
0003144998.tif 000003
【図２】
0003144998.tif 000004
【図３】
0003144998.tif 000005
【手続補正書】
【提出日】平成20年6月16日(2008.6.16)
【手続補正１】
【補正対象書類名】実用新案登録請求の範囲
【補正対象項目名】全文
【補正方法】変更
【補正の内容】
【実用新案登録請求の範囲】
【請求項１】
自転車前輪中心部発電機付車輪装置を活用し風受羽と風向板を取り付けた自転車輪発電風車。
【手続補正３】
【補正対象書類名】明細書
【補正対象項目名】０００１
【補正方法】変更
【補正の内容】
【０００１】本考案は、自転車前輪中心部発電機付車輪装置を活用し、スポーク部分に約４５度の角度に風受羽を取り付け風車とした。さらに風車回転面後方に風向板を取り付け多方向に吹く風を風車が受けられるようにした。
【手続補正４】
【補正対象書類名】明細書
【補正対象項目名】０００２
【補正方法】変更
【補正の内容】
【０００２】自転車のサドルより前の部分だけを使い、車輪部スポークに１８枚の風受羽を取り付けると、弱い風でも回転する高性能の風車が出来る。
【手続補正５】
【補正対象書類名】明細書
【補正対象項目名】０００３
【補正方法】変更
【補正の内容】
【０００３】蓄電池は広く使われているが、電力が低下したときには、充電しなければならないので、充電するために他の電源が必要になるということと、廃棄物の問題もある。
【手続補正６】
【補正対象書類名】明細書
【補正対象項目名】０００４
【補正方法】変更
【補正の内容】
【０００４】本考案は廃棄自転車に付いている高性能発電機を利用し、いつでもどこでも発生する風で発電することが出来るため、蓄電池の充電にこれを利用でき、廃棄自転車を使って風車を作るのでコストが少なくて済む。
【手続補正７】
【補正対象書類名】明細書
【補正対象項目名】０００５
【補正方法】変更
【補正の内容】
【０００５】自宅屋上に３基設置して、防犯灯の電源に利用し、地球にやさしいエネルギーを実感しています。
【手続補正８】
【補正対象書類名】明細書
【補正対象項目名】０００６
【補正方法】変更
【補正の内容】
【０００６】風車は多羽根にしてあり、風受け効率を高め風速３ｍ／ｓでも回転するが、できるだけ、屋根の上や屋上など風通しの良い場所に設置することが望ましい。
また、強風時は風車が破損するのを防ぐため、自動回転減速装置を取り付けた。
(57)【要約】      （修正有）【課題】ゴルフプレーのグリーンでのパットをする時にパットするボールを狙った方向に向かって置くことが出来るボール・マーカーを提供する。【解決手段】ボール・マーカーは一方を矢先にように鋭角にし、鋭角の先端より後方に向かって直線のラインを入れた。このボール・マーカーの鋭角の先端と狙った方向を直線で合わせれば狙った方向とボール・マーカーの後方迄一直線になる。このライン上にボールに印刷されたマークを上にして置くことによって狙った方向とボールとボール・マーカーが一直線で結ばれる。【選択図】図１
0003144994.tif 000002
【実用新案登録請求の範囲】
【請求項１】
ゴルフプレーでグリーン上にボールが乗った時にマークをしてボールを取り上げる。
このマークをするボール・マーカーの一方を矢先のように鋭角にする。
【請求項２】
ボール・マーカーの一方を矢先のように鋭角にした  先端より後方に向かって直線のラインを引くこと。
【請求項３】
ボール・マーカーの裏側にグリーンに固定する為の杭を取り付ける。
【考案の詳細な説明】
【技術分析】
【０００１】本考案はゴルフプレーのグリーンでのパットをする時にパットするボールを狙った方向に向かって置くことが出来る。
【背景技術】
【０００２】ゴルフプレーでグリーンでのパットのボールがなかなか狙った方向に打て無い
【考案の開示】
【考案が解決しようとする課題】
【０００３】グリーンでボールを狙った方向とボールに印刷されたマークを上にして一直線上に正確に置くことが出来れば良いと思う。
【課題を解決するための手段】
【０００４】今のボール・マーカーは単にグリーンでのボールの位置を示すものである。
本考案のボール・マーカーは一方を矢先にように鋭角にし、鋭角の先端より後方に向かって直線のラインを入れた。このボール・マーカーの鋭角の先端と狙った方向を直線で合わせれば狙った方向とボール・マーカーの後方迄一直線になる。このライン上にボールに印刷されたマークを上にして置くことによって狙った方向とボールとボール・マーカーが一直線で結ばれる。
【考案の効果】
【０００５】このボール・マーカーを使用することによってボールを狙った方向に打てる確率が高くなる。
【考案を実施する為の最良の形態】
【０００６】図面にもとづいて説明する。
図１で１はボール・マーカーの表面を上から見た図で、２は方向を合わせる鋭角の先端で、３は鋭角の先端から伸びた直線である。
図２で４はボール・マーカーの裏面で５はグリーンに固定する杭である。
図３は狙う方向とボール・マーカーの鋭角の先端を直線で結んだラインにボールの印刷されたマークを上にして一直線上に合わせた状態である。
【図面の簡単な説明】
【０００７】
【図１】ボール・マーカーの表面を上から見た図である。
【図２】ボール・マーカーの裏面を斜め上から見た図である。
【図３】ボール・マーカーの鋭角の先端と狙う方向とのライン上にボールの印刷マークを上にして一直線で結んだ図
【符号の説明】
１  ボール・マーカーの表面である。
２  狙った方向に合わせる鋭角の先端部分である。
３  狙った方向と一直線になるようにするラインである。
４  ボール・マーカーに裏面である。
５  グリーンに固定する為の杭である。
【図１】
0003144994.tif 000003
【図２】
0003144994.tif 000004
【図３】
0003144994.tif 000005
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレーでグリーン上のボールをマークするボール・マーカーの一方を矢先のように鋭角にした特徴を有するボール・マーカー。
【請求項２】
請求項１に記載の特徴を有するボール・マーカーの矢先のような鋭角の先端が狙った方向により正確に向くように鋭角の先端より後方に向かって直線のラインをボール・マーカーの表面中心線に取り付けたボール・マーカー。
【請求項３】
このような特徴を有するボール・マーカーをグリーン上でマークする時、狙った方向に固定できるようにこのボール・マーカーの裏面に固定用の杭を取り付けたボール・マーカー。
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレーでグリーン上のボールをマークするボール・マーカーの一方を矢先のように鋭角にした特徴を有するボール・マーカー。
【請求項２】
請求項１に記載の特徴を有するボール・マーカーの矢先のような鋭角の先端が狙った方向により正確に向くように鋭角の先端より後方に向かって直線のラインをボール・マーカーの表面中心線に取り付けたボール・マーカー。
【請求項３】
前記ボール・マーカーの裏面に固定用の杭を取り付けたことを特徴とする請求項１又はこのいずれかに記載のボール・マーカー。
【手続補正書】
【提出日】平成20年4月1日(2008.4.1)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレーでグリーン上のボールをマークするボール・マーカーの一方を矢先のように鋭角にした特徴を有するボール・マーカー。
【請求項２】
請求項１に記載の特徴を有するボール・マーカーの矢先のような鋭角の先端が狙った方向により正確に向くように鋭角の先端より後方に向かって直線のラインをボール・マーカーの表面中心線に取り付けたボール・マーカー。
【請求項３】
ボール・マーカーの一方を矢先のように鋭角にした特徴を有する請求項１記載のボール・マーカーの裏面に固定用の杭を取り付けること。
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレーでグリーン上のボールをマークするボール・マーカーの一方を矢先のように鋭角にした特徴を有するボール・マーカー。
【請求項２】
請求項１に記載の特徴を有するボール・マーカーの矢先のような鋭角の先端が狙った方向により正確に向くように鋭角の先端より後方に向かって直線のラインをボール・マーカーの表面中心線に取り付けたボール・マーカー。
【請求項３】
前記ボール・マーカーをグリーン上で固定するために、ボール・マーカーの裏面に、固定用の杭を取り付けたことを特徴とする請求項１又は請求項２のいずれかに記載のボール・マーカー。
(57)【要約】      （修正有）【課題】携帯電話の電波受信で周辺に発生するプラスイオンを、身辺に配置した簡単、軽量、小体積の水素マイナスイオン発生器で中和し、携帯電話の有害電波を緩和する装置を提供する。【解決手段】同軸ケ−ブルを電池に繋いで同心コンデンサ−にし、その外側を正極にして自然吸着している水素を分極させて、水素のマイナスイオンを発生させ、このコンデンサ−を携帯電話の近くに配置し、使用中の電波で発生するプラスイオンをその水素マイナスイオンで中和する装置である。【選択図】図１
0003144997.tif 000002
【実用新案登録請求の範囲】
【請求項１】
携帯電話（ケ−タイ）の周辺に電波で発生するプラスイオンを水素マイナスイオンで中和する装置。
【考案の詳細な説明】
１ＭＨｚ程度以上の周波数の電波は、空気中で高周波放電によりプラスイオンを発生し人体に有害である。そのためテレビを１ｍ程度以下の近いところで見るのは健康によくない。テレビの電波有害は部屋の中に市販のマイナスイオン発生器を配置すればある程度解消できる。大問題は携帯電話である。これは有害電波を出しても手で持つので、大型の部屋配置の市販マイナスイオン発生器を利用できない。このための携帯電話用マイナスイオン発生器は、
（１）携帯電話に着けられる程、小体積、軽量、
（２）無公害ガスイオンで、危険な高電圧などでつくらない、
（３）身体の周辺をマイナスイオンで包める程のイオンエネルギ−０．５ｅＶ以上、
（４）安価、簡単、
の諸条件を充たさねばならない。しかし、市販には皆無である。
本考案は、上記諸条件を充たす携帯電話用のマイナスイオン発生器に関してである。すでに水素マイナスイオン発生器の原理は［特許出願２００２−１４３８３６］に発表してあるが、本考案は携帯電話の電波有害解消に極めて便利で、有効であることを強調したい。先ず、動作中の携帯電話から身体の周辺にプラスイオンが多く出ていることを微小電流計で確認。次に本考案の図１のマイナスイオン発生器（長さ〜４ｃｍ、直径〜６ｍｍ、重量〜２ｇ）を携帯電話の近くに図２のように配置すると、上記プラスイオン電流は完全に解消され、むしろマイナスイオン電流になる。
携帯電話は周波数８００ＭＨｚ〜２０００ＭＨｚの最も高周波放電プラズマをつくりやすい電波を使用するので〜１００ＭＨｚ前後の電波を利用するテレビ周辺より遙にプラスイオンを発生しやすい。しかも身体に密着して使用するので、上記諸条件を充たす無害で、自然に豊富にある水素のマイナスイオンＨ−発生器は今や世界中の携帯電話所持者に必要である。
【図面の簡単な説明】
【図１】同軸ケ−ブル水素マイナスイオン発生器（キャンセラ−）の原理
【図２】ケ−タイとキャンセラ−の配置方式
【符号の説明】
［図１］１：同軸ケ−ブル、２：電池，３：水素マイナスイオンＨ−。
［図２］（Ａ）ストラップ方式、（Ｂ）ポケットｏｒブレスレット方式、（Ｃ）ハンドバック方式。
【図１】
0003144997.tif 000003
【図２】
0003144997.tif 000004
【手続補正書】
【提出日】平成20年4月7日(2008.4.7)
【手続補正１】
【補正対象書類名】実用新案登録請求の範囲
【補正対象項目名】全文
【補正方法】変更
【補正の内容】
【実用新案登録請求の範囲】
【請求項１】
同軸ケ−ブルを電池に繋いで同心コンデンサ−にし、その外側を正極にして自然吸着している水素を分極させて、水素のマイナスイオンを発生させる。このコンデンサ−を携帯電話の近くに配置し、使用中の電波で発生するプラスイオンをその水素マイナスイオンで中和する装置。
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
同軸ケ−ブルを電池に繋いで同心コンデンサ−にし、その外側を正極にして自然吸着している水素を分極させて、水素のマイナスイオンを発生させ、このコンデンサ−を携帯電話の近くに配置し、使用中の電波で発生するプラスイオンをその水素マイナスイオンで中和する装置。
(57)【要約】      （修正有）【課題】使い捨て網をリサイクル加工する事によって資源の保全を図ると共に廉価で安定した価格で供給できるリサイクル網を提供する。【解決手段】１度使用した焼き肉用の使い捨て網を酸性洗剤、アルカリ性洗剤に順次浸けてメッキや脂汚れを落とし、その後この網を耐熱塗料で全面塗装し３５０℃で焼付けを行うことにより、新しい網として再度使用することができるようになる。【選択図】図１
0003145000.tif 000002
【実用新案登録請求の範囲】
従来使われている焼肉用の使い捨て網は一度で破棄されているが、それを再加工して何度でも使用できるリサイクル網
【考案の詳細な説明】
【技術分野】本考案は焼肉店等で使用されている使い捨て網を再度利用するためのものである。
【背景技術】焼肉店において使用されている使い捨て網は国内では既に生産されておらず中国より輸入しているものを使用している
【考案が解決しようとする課題】
使い捨て網は日本ではすでに技術者の不足や原料の高騰等で生産されておらず中国又はベトナム等よりの輸入で賄っている。
しかし最今諸々の事情で価格が高騰し業者を悩ませている、また資源不足の折、使用された網が他のゴミと共に焼却されている。
焼肉店の内７０％以上がこの使い捨て網を使用している現状、廉価で加工でき、資源（鉄）の消費を助けるものである。
【課題を解決するための手段】
１．（イ）一度使われた網を回収して、残存している銀メッキの部分を酸性洗剤に浸けてメッキを排除する。
（ロ）脂や肉のコゲなどがついているのをアルカリ性洗剤に浸けて脱脂する
以上でブラストする事によって摩耗する鉄の保全を図る
（ハ）以上で網を洗って１２０度で乾燥する。
２．（イ）この網を耐熱塗料（食品衛生法許可済み）を全面塗装する
（ロ）１２０°〜１５０°で乾燥させ２０分後３５０°で焼付塗装する
（ハ）以上で再利用できる網のリサイクルができる。
（ニ）２回からは１の（ロ）以下の工程で何度でもリサイクルができる。
【考案の効果】
１．高騰を続ける輸入網に対して、廉価で一定の加工料で焼肉店が使用できる
２．捨て去られて焼却される資源を保全できる。
全国の焼肉店の７０％が使用している現状を考えるとその量は莫大なものとなる。
0003145000.tif 000003
【手続補正書】
【提出日】平成20年5月26日(2008.5.26)
【手続補正１】
【補正対象書類名】実用新案登録請求の範囲
【補正対象項目名】全文
【補正方法】変更
【補正の内容】
【実用新案登録請求の範囲】
【請求項１】
焼肉用の使い捨て網を清浄化した後に耐熱塗料によって焼付け塗装処理されたことを特徴とするリサイクル網
【手続補正２】
【補正対象書類名】明細書
【補正対象項目名】全文
【補正方法】変更
【補正の内容】
【考案の詳細な説明】
【技術分野】本考案は焼肉店等で使用されている使い捨て網を再度利用するためのものである
【背景技術】焼肉店において使用されている使い捨て網は国内では既に生産されておらず中国より輸入しているものを使用している
【考案が解決しようとする課題】
使い捨て網は日本ではすでに技術者の不足や原料の高騰等で生産されておらず中国又はベトナム等よりの輸入で賄っている。
しかし最近諸々事情で価格が高騰し業者を悩ませている、また資源不足の折、使用された網が他のゴミと共に焼却されている。
焼肉店の７０％以上がこの使い捨て網を使用している現状、廉価で加工でき、資源（鉄）の消費を助けるものである。
【課題を解決するための手段】
１．（イ）一度使われた網を回収して、残存している銀メッキの部分を酸性洗剤に浸けてメッキを排除する。
（ロ）脂や肉のコゲなどがついているのをアルカリ性洗剤に浸けて脱脂する。
以上でブラストすることによって磨耗する鉄の保全を図る。（ハ）以上で網を洗って１２０度で乾燥する。
２．（イ）この網を耐熱塗料（食品衛生許可済み）を全面塗装する。
（ロ）１２０°〜１５０°で乾燥させ２０分後３５０°で焼付塗装する。
（ハ）以上で再利用できる網のリサイクルができる。
（ニ）２回からは１の（ロ）以下の工程で何度でもリサイクルができる。
【考案の効果】
１．高騰を続ける輸入網に対して、廉価で一定の加工料で焼肉店が使用できる。
２．捨て去られて焼却される資源を保全できる。
全国の焼肉店の７０％が使用している現状を考えるとその量は莫大なものとなる。
【図面の簡単な説明】
【図１】
0003145000.tif 000004
【手続補正３】
【補正対象書類名】図面
【補正対象項目名】全図
【補正方法】変更
【補正の内容】
【図１】
0003145000.tif 000005
【手続補正書】
【提出日】平成20年7月23日(2008.7.23)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】本考案は焼肉店等で使用されている使い捨て網を再度利用するためのものである
【背景技術】焼肉店において使用されている使い捨て網は国内では既に生産されておらず中国より輸入しているものを使用している
【考案が解決しようとする課題】
使い捨て網は日本ではすでに技術者の不足や原料の高騰等で生産されておらず中国又はベトナム等よりの輸入で賄っている。
しかし最近諸々事情で価格が高騰し業者を悩ませている、また資源不足の折、使用された網が他のゴミと共に焼却されている。
焼肉店の７０％以上がこの使い捨て網を使用している現状、廉価で加工でき、資源（鉄）の消費を助けるものである。
【課題を解決するための手段】
１．（イ）一度使われた網を回収して、残存している銀メッキの部分を酸性洗剤に浸けてメッキを排除する。
（ロ）脂や肉のコゲなどについているのをアルカリ性洗剤に浸けて脱脂する。
以上でブラストすることによって磨耗する鉄の保全を図る。
（ハ）以上で網を洗って１２０度で乾燥する。
２．（イ）この網を耐熱塗料（食品衛生許可済み）を全面塗装する。
（ロ）１２０度〜１５０度で乾燥させ２０分後３５０度で焼付塗装する。
（ハ）以上で再利用できる網のリサイクルができる。
（ニ）２回からは１の（ロ）以下の工程で何度でもリサイクルができる。
【考案の効果】
１．高騰を続ける輸入網に対して、安価で一定の加工料で焼肉店が使用できる。
２．捨て去られる焼却される資源を保全できる。
全国で焼肉店の７０％が使用している現状を考えるとその量は莫大なものとなる。
【図面の簡単な説明】
【図１】（１）は使用後の網の状態。（２）はフチのメッキ部分を酸性洗剤で削除、中心部の網中の肉のこげつき汚れをアルカリ性洗剤で洗った状態。（３）は１２０度〜１５０度で乾燥した後耐熱塗料（食品衛生法適合）を３５０度で焼付塗装して、再利用できる状態にしたもの。
(57)【要約】      （修正有）【課題】襟足部分をカットする際にも、正確に梳かしを付けることができる襟足カット専用櫛を提供する。【解決手段】髪をカットする際使用する櫛の中央部分１を、約２５度曲げて形成する。その結果、右手を使って、左の襟足部分をカットする時には、耳の後ろから下の髪を生え際に沿って取り分け、前方へと櫛を使って梳かし付ける場合には、櫛の持ち手が、切られる側の肩に当たる事がなくなり、スムーズな作業が可能になる。また、左手を使って、右の襟足部分をカットする場合も、同様である。【選択図】図２
0003144950.tif 000002
【実用新案登録請求の範囲】
【請求項１】
理美容室において、髪をカットする際に使用する櫛の、中央部分１を、約２５度曲げて形成することにより、襟足部分をカットする時、櫛の持ち手部分や指が、切られる側の、肩や背中に当たることがなくなり、カットする側、カットされる側双方に、負担の少ない作業が可能になるカットに用いる櫛。
【考案の詳細な説明】
【技術分野】
【０００１】
本考案は、理美容室において、髪をカットする際に使用する、櫛に関するものである。
【背景技術】
【０００２】
理美容室において、髪をカットする際に使用する櫛は、数え切れない種類が現存するが、そのどれもが、何の問題もなく使用することができる。しかし、まっすぐな形状の物ばかりなので、襟足部分をカットする場合、櫛の持ち手部分や指が、切られる側の肩や背中に当たってしまい、正確に梳かし付けることができない。
【考案の開示】
【考案が解決しようとする課題】
【０００３】
理美容室において髪をカットする際、はさみや、かみそり、バリカン等は必要不可欠であるが、それにも増して櫛は、無くてはならない道具である。現存する櫛には、数え切れない種類があるが、そのどれもが理美容師の好みで選べば、何の問題もなく、使用することができる。
【０００４】
ただし、襟足の髪をカットする際、その髪を首筋の方向へ梳かし付けようとすると、櫛の持ち手の部分が、切られる側の肩に当たってしまい、櫛の中間が襟足から浮いてしまう。それでも正確にカットしようとすると、たとえば右手で櫛を持ち、左の襟足部分を梳かし付ける時には、切られる側の人の首を限界まで下に向けてもらい、且つ、左を向いてもらう必要があった。
【０００５】
それに加え、襟足のカットにおいて、スルーダウンという作業を行う場合には、櫛を持った指が、切られる側の肩や背中に当たってしまい、やはり正確に梳かし付けることができない。
【課題を解決するための手段】
【０００６】
理美容室において、髪をカットする際に使用する櫛の、中央部分１を、約２５度曲げて形成することにより、上記の課題を解決することができる
【考案の効果】
【０００７】
理美容室にて本考案の櫛を使用して、襟足のカットを行う場合、カットする側、カットされる側、双方に負担の少ない作業が可能になる。
【考案を実施するための最良の形態】
【０００８】
理美容室において、髪をカットする際に使用する櫛の、中央部分１を、約２５度曲げて形成することにより、襟足部分をカットする時には、とても使いやすい櫛になる。
【実施例】
【０００９】
図１は、本考案の櫛の平面図であり、図１において３の方向から見た側面図が図２であり、４の方向から見た側面図が図３である。それぞれ図１、図２、図３にて見て取れるように、理美容室において、髪をカットする際に使用する櫛の、中央部分１を、約２５度曲げて形成しただけのものである。
【００１０】
一般的にカット用の櫛は、５と６の部分では、櫛目の細かさが違うものが、ほとんどを占めるが、本考案においては、左右どちらの手でも、同様に使用できるように、５，６ともに、おなじ櫛目で描いてある。右手で使用する場合は、５が持ち手となり、６の部分で髪を梳かし付ける。左手で使用する場合は、６が持ち手となり、５の部分で髪を梳かし付ける。
【００１１】
ただし右利き専用なら５の部分を、左利き専用なら６の部分を、持ち手として櫛目を無くし、フラットな形状にしても構わない。
【００１２】
このように、理美容室において、髪をカットする際に使用する櫛の、中央部分１を、約２５度曲げて形成することにより、次の効果が得られる。
【００１３】
理美容室において、右手を使って、左の襟足部分をカットする時、耳の後ろから下の髪を、生え際に沿って取り分け、前方へと櫛を使って梳かし付ける場合に、櫛の持ち手が、切られる側の肩に当たる事がなくなり、スムーズな作業が可能になる。左手を使って、右の襟足部分をカットする場合も、同様である。
【００１４】
理美容室において、襟足部分をカットする時に使われる、スルーダウンという作業を行う場合には、櫛を持った指が、切られる側の肩や背中に当たる事が無くなり、切られる側の首や背中に対し、櫛が平行に密着して、正確に梳かし付けることが可能になる。
【産業上の利用可能性】
【００１５】
理美容室において、ごく自然に使用していた、カット用の櫛であるが、襟足部分のカットに、本考案の櫛を使用してみると、今まで当たり前にしていた事が、とても不便だったことに気が付く、安価で製造できる物なので、普及すれば、より正確な髪のカットができるようになるし、カットする側、カットされる側、双方に負担の少ない作業が可能になる。
【図面の簡単な説明】
【００１６】
【図１】本考案の平面図
【図２】図１を３の方向から見た側面図
【図３】図１を４の方向から見た側面図
【符号の説明】
【００１７】
１    櫛の中央部分
２    約２５度曲げた角度
３    図２で描いた図１での見た方向
４    図３で描いた図１での見た方向
５    右手で使用する時の持ち手
６    左手で使用する時の持ち手
【図１】
0003144950.tif 000003
【図２】
0003144950.tif 000004
【図３】
0003144950.tif 000005
(57)【要約】      （修正有）【課題】簡便にごみ収集袋の着脱が行われ、移動も簡単であり、また、収集物の内容が見えることから分別収集の間違いが無く、作業性の優れた分別用ごみ収容棚を提供する。【解決手段】台車に、複数個のリングを取り付けたことを特徴とする、分別用ごみ収容棚。台車の荷台にリング状のごみ袋の収容架台を取り付け、該架台にごみ袋をセットし、収容したごみを処理場へ簡便に運搬することができる。簡単な構造で取り扱いに優れており、収集されるごみの種類に応じてごみ袋の設定が可能であり、汎用性に優れている。【選択図】図１
0003144987.tif 000002
【実用新案登録請求の範囲】
【請求項１】
台車に、複数個のリングを取り付けたことを特徴とする、分別用ごみ収容棚。
【考案の詳細な説明】
【技術分野】
【０００１】
本考案は、分別用ごみ収容棚に関するものである。
【背景技術】
【０００２】
近年、環境保全、資源の再利用がますます重要性を帯びてきており、企業においても重要な課題となってきている。とくに製造業においては、工場で発生する廃棄物は種類もその量も多いため、排出量の削減や再利用など様々な努力がなされている。ごみの分別収集もその第一歩であるが、工場において廃棄物はいつ何時にも発生しうるため、簡便にかつ効率よく収集し、運搬することが重要である。
【０００３】
簡単な構造で、かつ多種類のごみの分別が可能な分別用ごみ収容棚としては、たとえば、複数のごみ袋を保持可能に設置した分別用ごみ収納棚において、組立・分解可能な受台保持枠と、該受台保持枠に取り付けられた多数の抜止め部材と、これら多数の抜止め部材に係合するフック溝を有する収納枠体とから構成されたことを特徴とする分別用ごみ収納棚が提案されている。しかしながら、当該収容棚は格納時には分解してコンパクトにできるという利点は有しているものの、構造としてはやや複雑であり、より取り扱いの易しい収容棚、さらには最終分別置き場へたやすく運搬できるタイプが望まれていた。
【特許文献１】特開２００７−７００００号公報
【考案の開示】
【考案が解決しようとする課題】
【０００４】
解決しようとする問題点は、作業に優れ、かつ、使い易い簡便な分別用ごみ収容棚が無いという点である。
【課題を解決するための手段】
【０００５】
かかる目的を達成するための考案は、台車に、複数個のリングを取り付けたことを特徴とする、分別用ごみ収容棚である。
【考案の効果】
【０００６】
本考案を採用することにより、簡便にごみ収集袋の着脱が行われ、移動も簡単であり、また、収集物の内容が見えることから分別収集の間違いが無く、作業性の優れた分別用ごみ収容棚を提供することができる。
【考案を実施するための最良の形態】
【０００７】
以下、本考案の構成を図１〜５に示す実施の形態に即して説明する。図１は、本考案の代表的な実施形態であり、斜視図で示している。台車の荷台の辺から垂直に伸びた支柱にリング状の金具が取り付けられている。このリングの淵にごみ収集袋の口を取り付けて使用し、ごみの収集が終われば台車をごみ処理場へさせ、ごみ袋だけを外して処理することができる。この形態は、比較的小さなごみ及び種類が多いときに特に有用である。
【０００８】
図２〜４は、本考案の代表的な形態を表す三面図である。図２は正面図であり、辺から垂直に伸びた支柱にリング状の金具が取り付けられており、必要に応じて支持架台を使用できる。この図では一列３セットのリング状金具が段違いに２列設置されている。このリング状金具及び支柱は着脱可能になっており、必要に応じて径の異なるリングを設置することにより、ごみ収容袋の大きさや設置個数を変更することができる。なお、この図のように支柱中程に収容されるごみの種別を記載することにより、より使用性が高めることができる。
【０００９】
図３は右側面図である。台車上に段差を設けることにより、ごみ収容物の視認性が高まり、分別の間違いを防ぐことができる。また、この段差の下には収納場所を設けることができ、ごみ収容袋や固定のためのテープ、交換部品などを収納可能である。図４は平面図であり、図５は本考案を実施しているときの右側面図である。
【産業上の利用可能性】
【００１０】
簡便にごみ収集袋の着脱が行われ、移動も簡単であり、また、収集物の内容が見えることから分別収集の間違いが無く、作業性の優れた分別用ごみ収容棚を提供することができる。
【図面の簡単な説明】
【００１１】
【図１】本考案の分別用ごみ収容棚の代表的な実施形態の斜視図である。
【図２】本考案の分別用ごみ収容棚の代表的な実施形態の正面図である。
【図３】本考案の分別用ごみ収容棚の代表的な実施形態の右側面図である。
【図４】本考案の分別用ごみ収容棚の代表的な実施形態の平面図である。
【図５】本考案を実施している状態での右側面図である。
【図１】
0003144987.tif 000003
【図２】
0003144987.tif 000004
【図３】
0003144987.tif 000005
【図４】
0003144987.tif 000006
【図５】
0003144987.tif 000007
(57)【要約】【課題】鮎釣りに用いる水中歩行用タイツにおいて容易に履き脱ぎ出来るようにすることによって、タイツの履き脱ぎにかかる労力と時間を節約し釣り人の精神的、肉体的ストレスを軽減させる。【解決手段】鮎釣りに用いる水中歩行用タイツにおいて、左右両足部の側面付近に裾口から股の間隔に対応する範囲にファスナーを縫合し、タイツを履き脱ぎする際には、前記ファスナーを全開することにより足とタイツ足部との摩擦抵抗を大幅に軽減させ容易に履き脱ぎ出来るようになる。【選択図】図２
0003144936.tif 000002
【実用新案登録請求の範囲】
【請求項１】
鮎釣りに用いる水中歩行用タイツにおいて、左右両足の側面付近にファスナーを縫合し、かつ、前記ファスナーが各足の裾口から、股付近までの部分に縫合していることを特徴とする鮎釣り用タイツ。
【考案の詳細な説明】
【技術分野】
【０００１】
本考案は、鮎釣りに用いる水中歩行用タイツに関するものである。
【背景技術】
【０００２】
従来の鮎釣り用タイツは、腰部と左右両足用に二股に分かれた足部からなり、厚地のゴム系の素材を縫合して作られている。鮎釣り用タイツは下半身に出来るだけ密着するような形で作られており、履き脱ぎしやすくするために左右両足部の裾口から膝にあたる部分にファスナーを縫合し開閉自在としているものもある。
【考案の開示】
【考案が解決しようとする課題】
【０００３】
解決しようとする問題点は、鮎釣り用タイツはゴム系素材で作られているため、素肌に対して滑りにくい。その為、スムーズにタイツを履いたり、脱いだりすることが出来にくいとう欠点があった。その為タイツの履き脱ぎに時間と労力がかかり釣り人はストレスを感じていた。
【０００４】
履き脱ぎしやすくするためにタイツの側面に裾口から膝にかけてファスナーを縫合して、開閉自在にしている物もあるがスムーズに履き脱ぎ出来るには不十分であった。
【課題を解決するための手段】
【０００５】
本考案は、鮎釣り用タイツをスムーズに履き脱ぎ出来るように、左右両足部の側面付近に裾口から股の間隔に対応する範囲にファスナーを縫合したことを特徴とする。
【考案の効果】
【０００６】
本考案の鮎釣り用タイツは、左右両足部の側面付近に裾口から股の間隔に対応した範囲にファスナーを縫合したことにより、前記ファスナーを全開すれば容易にタイツを履き脱ぎ出来る。
【考案を実施するための最良の形態】
【０００７】
本考案の実施例を図面を参考にしつつ説明する。図１は実施例の鮎釣り用タイツの正面図である。実施例の鮎釣り用タイツはクロロプレンゴムをベースに、ナイロン９０％、ポリウレタン１０％の表地と、ナイロン８５％、ポリウレタン１５％の裏地を貼り合わせた生地を、各縫製ライン１で縫合わせて作られている。また、膝にあたる周辺部には補強用パッド２が接着されている。
【０００８】
図２は、実施例の鮎釣り用タイツの背面図である。左・右足部の外側面付近にファスナー３が裾口から股にかけて縫合わされている。
また、裾口付近の外側面にはファスナーのつまみ４を覆うためのベルト５の片方端が縫合わされている。ベルト５の他方端にはボタンの凸部６が嵌合わされている。また、左・右足部の裾口付近には、ボタンの凹部７が嵌合わされている。
【０００９】
図３は、本考案の実施例の鮎釣り用タイツを左右足部が重なるように二つ折にした状態の側面図である。
【００１０】
図４は本考案の実施例の鮎釣り用タイツを左右足部が重なるように二つ折にした状態でファスナーを全開にした状態の側面図である。
【００１１】
このようにファスナーが裾口から股付近まで縫合わされている為、ファスナーを全開にすると容易にタイツを履き脱ぎできる。また、図面にはないが、腹部に一般的なズボンにあるようなファスナーを縫合わせることにより左右足部だけでなく、腹部も開くようになる為
さらに容易に履き脱ぎできるようなる。
【産業上の利用可能性】
【００１２】
鮎釣り用タイツの左右足部の側面付近に裾口から股の間隔に対応した範囲にファスナーを縫合したことにより、前記ファスナーを全開にした状態では足全体がタイツ足部に圧迫されないので、容易に履き脱ぎすることが出来る。
【００１３】
このように容易にタイツを履き脱ぎ出来るので時間と労力が節約され、タイツの履き脱ぎ時にストレスを感じることがなく精神衛生上も良い。
【図面の簡単な説明】
【００１４】
【図１】実施例の鮎釣り用タイツの正面図
【図２】実施例の鮎釣り用タイツの背面図
【図３】本考案の実施例の鮎釣り用タイツを二つ折にした状態の側面図（ファスナー閉じた状態）
【図４】本考案の実施例の鮎釣り用タイツを二つ折にした状態の側面図（ファスナー開いた状態）
【符号の説明】
【００１５】
１    縫製ライン
２    補強用パッド
３    ファスナー
４    ファスナーのつまみ
５    ベルト
【図１】
0003144936.tif 000003
【図２】
0003144936.tif 000004
【図３】
0003144936.tif 000005
【図４】
0003144936.tif 000006